【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
電子デバイス間で通信する方法であって、
第１のワイヤレスネットワークと関連付けられる同期動作に基づいてデータリンクの第１の電子デバイスにおいてクロックを同期することと、前記第１のワイヤレスネットワークは、近隣認識ネットワーク（ＮＡＮ）内のサービス発見および同期と関連付けられ、ここにおいて、前記ＮＡＮは、共通の発見時間枠と関連付けられる電子デバイスの第１のグループを含む、
前記第１の電子デバイスにおいて、前記同期されたクロックに基づいて決定された第１のページング時間枠の間に第２のワイヤレスネットワークを監視することと、前記第２のワイヤレスネットワークは、前記データリンクに対応する少なくとも１つのサービスによるデータ共有と関連付けられ、ここにおいて、前記データリンクは、共通のページング時間枠と関連付けられる電子デバイスの第２のグループを含み、電子デバイスの前記第１のグループは、電子デバイスの前記第２のグループを含む、
前記第１の電子デバイスにおいて前記第２のワイヤレスネットワークを介して、前記第１のページング時間枠の間に、トラフィック告知メッセージを前記データリンクの第２の電子デバイスから受信することと、ここにおいて、第１の送信時間枠の第１の部分は、前記第１のページング時間枠を含み、前記トラフィック告知メッセージは、前記データリンクの１つまたは複数の電子デバイスが、前記第１の送信時間枠の第２の部分の間に、データを前記第２のワイヤレスネットワークを介して受信するようにスケジューリングされていることを示す、を備える、方法。
【請求項２】
前記トラフィック告知メッセージがブロードキャストメッセージを含む、請求項１に記載の方法。
【請求項３】
前記第１の電子デバイスにおいて、前記データを受信するようにスケジューリングされている前記１つまたは複数の電子デバイスに含まれるものとして前記トラフィック告知メッセージが前記第１の電子デバイスを識別するかどうかを決定することをさらに備える、請求項１に記載の方法。
【請求項４】
前記トラフィック告知メッセージが前記第１の電子デバイスを前記１つまたは複数の電子デバイスに含まれるものとして識別すると決定したことに応答して、前記第１の送信時間枠の前記第２の部分の間、前記第１の電子デバイスをアクティブ動作モードに維持することと、
前記第１の電子デバイスにおいて、前記第１の送信時間枠の前記第２の部分の間に、前記データの少なくとも一部分を前記第２の電子デバイスから受信することとをさらに備える、請求項３に記載の方法。
【請求項５】
前記トラフィック告知メッセージが前記第１の電子デバイスを前記１つまたは複数の電子デバイスに含まれるものとして識別しないと決定したことに応答して、前記第１の送信時間枠の前記第２の部分の間、前記第１の電子デバイスをアクティブ動作モードから低電力動作モードに遷移することと、
前記第１の電子デバイスを、第２のページング時間枠の第２の開始時間において、前記低電力動作モードから前記アクティブ動作モードに遷移することとをさらに備える、請求項３に記載の方法。
【請求項６】
前記トラフィック告知メッセージが前記第１の電子デバイスを前記１つまたは複数の電子デバイスに含まれるものとして識別する場合、前記第２のワイヤレスネットワークを介して、前記第１の電子デバイスにおいて前記第２の電子デバイスから前記データの少なくとも一部分を受信することをさらに備える、請求項３に記載の方法。
【請求項７】
トラフィック指示マップの特定のビットの値が前記第１の電子デバイスを前記１つまたは複数の電子デバイスに含まれるものとして識別するかどうかを決定することをさらに備え、前記特定のビットが前記第１の電子デバイスに対応する、請求項３に記載の方法。
【請求項８】
前記トラフィック指示マップ中の前記特定のビットの位置が、前記第１の電子デバイスと前記第２の電子デバイスとの間の接続プロセスの間に前記第２の電子デバイスによって割り当てられる接続識別情報に基づいて決定される、請求項７に記載の方法。
【請求項９】
前記特定のビットに対応する接続識別情報空間に基づいて、前記データを受信する際に介する特定のデータリンクを決定することをさらに備える、請求項７に記載の方法。
【請求項１０】
前記トラフィック告知メッセージを受信したことに応答して前記第１の電子デバイスから前記第２の電子デバイスに肯定応答を送信することをさらに備え、前記肯定応答が節電ポール（ＰＳ−ＰＯＬＬ）メッセージとして機能する、請求項１に記載の方法。
【請求項１１】
前記肯定応答が肯定応答時間枠の間に送信され、前記第１の送信時間枠の第３の部分が、前記肯定応答時間枠を含み、前記肯定応答時間枠が、前記第１のページング時間枠の後に、および前記第１の送信時間枠の前記第２の部分の前に存在する、請求項１０に記載の方法。
【請求項１２】
前記第２のワイヤレスネットワークがアイドル状態である第１の時間期間の時間長を決定することと、前記第１の時間期間は前記肯定応答を送信することの後に存在する、
前記第１の時間期間の前記時間長が第１の閾値を超えると決定したことに応答して、前記第１の電子デバイスをアクティブ動作モードから低電力動作モードに遷移することとをさらに備える、請求項１０に記載の方法。
【請求項１３】
前記第２のワイヤレスネットワークがビジー状態である第２の時間期間の時間長を決定することと、前記第２の時間期間は前記肯定応答を送信することの後に存在する、
前記第２の時間期間の前記時間長が第２の閾値を超えると決定したことに応答して、前記第１の電子デバイスをアクティブ動作モードから低電力動作モードに遷移することとをさらに備える、請求項１０に記載の方法。
【請求項１４】
前記肯定応答を送信した後で、前記第２の電子デバイスから前記第１の電子デバイスにおいて少なくとも１つのデータフレームを受信することと、
閾値の時間期間の期限切れの後で、前記第２のワイヤレスネットワークがアイドル状態であると決定したことに応答して、前記第１の電子デバイスをアクティブ動作モードから低電力動作モードに遷移することとをさらに備える、請求項１０に記載の方法。
【請求項１５】
前記肯定応答を送信した後で、前記第２の電子デバイスから前記第１の電子デバイスにおいて少なくとも１つのデータフレームを受信することと、
前記少なくとも１つのデータフレームに含まれる１つまたは複数のビットが追加の次回のデータ送信を示すと決定したことに応答して、前記第１の電子デバイスをアクティブ動作モードに維持することとをさらに備える、請求項１０に記載の方法。
【請求項１６】
前記トラフィック告知メッセージを受信したことに応答して、前記第１の電子デバイスから前記第２の電子デバイスにサービス品質ヌル（ＱｏＳ＿ＮＵＬＬ）フレームを送信することをさらに備える、請求項１に記載の方法。
【請求項１７】
前記ＱｏＳ＿ＮＵＬＬフレームが、短フレーム間空間（ＳＩＦＳ）期間内に応答を前記第１の電子デバイスへ送信することを前記第２の電子デバイスに対して承認する、逆方向グラント（ＲＤＧ）を含む、請求項１６に記載の方法。
【請求項１８】
前記ＱｏＳ＿ＮＵＬＬフレームに応答して前記第２の電子デバイスからデータフレームを受信することと、
前記データフレームに含まれる１つまたは複数のビットが追加の次回のデータ送信を示すと決定したことに応答して、前記第１の電子デバイスをアクティブ動作モードに維持することとをさらに備える、請求項１７に記載の方法。
【請求項１９】
前記トラフィック告知メッセージが、前記第２の電子デバイスを送信者として識別し、前記第１の電子デバイスを前記１つまたは複数の電子デバイスに含まれるものとして識別し、前記第２のワイヤレスネットワークを第１のデータのための配信経路として識別する、請求項１に記載の方法。
【請求項２０】
前記第１の電子デバイスが前記１つまたは複数の電子デバイスに含まれるかどうかを前記トラフィック告知メッセージによって示されるトラフィック指示マップに基づいて決定することをさらに備え、前記トラフィック告知メッセージに含まれる受信者タイプインジケータが第１の値を有する、請求項１に記載の方法。
【請求項２１】
前記第１の電子デバイスが前記１つまたは複数の電子デバイスに含まれるかどうかを前記トラフィック告知メッセージによって示されるブルームフィルタに基づいて決定することをさらに備え、前記トラフィック告知メッセージに含まれる受信者タイプインジケータが第２の値を有する、請求項１に記載の方法。
【請求項２２】
前記第１の電子デバイスが前記１つまたは複数の電子デバイスに含まれるかどうかを決定することが、
前記ブルームフィルタに対応するハッシュ関数のセットに基づいて、および、前記第１の電子デバイスの媒体アクセス制御（ＭＡＣ）アドレスに基づいて、前記ブルームフィルタ中のビット位置のセットを決定することと、
前記ブルームフィルタ中のビット位置の前記セットの各ビット位置に位置するビットが特定の値を有するかどうかを決定することとを備える、請求項２１に記載の方法。
【請求項２３】
前記第１の電子デバイスが前記１つまたは複数の電子デバイスに含まれると決定したことに応答して、肯定応答を前記第２の電子デバイスに送信することと、
前記第１の送信時間枠の前記第２の部分の間、前記第１の電子デバイスをアクティブ動作モードに維持することと、
前記第２の電子デバイスから前記データの少なくとも一部分を受信することとをさらに備える、請求項２１に記載の方法。
【請求項２４】
前記第１の電子デバイスが前記１つまたは複数の電子デバイスに含まれると決定したことに応答して、肯定応答を前記第２の電子デバイスに送信することと、
前記第１の送信時間枠の前記第２の部分の開始時間において、前記第１の電子デバイスをアクティブ動作モードに維持することと、
前記第２の電子デバイスから否定応答（ＮＡＣＫ）を受信することと、
前記ＮＡＣＫを受信したことに応答して、前記第１の送信時間枠の前記第２の部分の残りの間、前記第１の電子デバイスを前記アクティブ動作モードから低電力動作モードに遷移することとをさらに備える、請求項２１に記載の方法。
【請求項２５】
前記同期動作が、同期ビーコンを前記第１のワイヤレスネットワークを介して前記ＮＡＮの電子デバイスから受信することを備え、前記クロックが、前記同期ビーコンに基づいて同期される、請求項１に記載の方法。
【請求項２６】
前記クロックを同期する前に、前記第１の電子デバイスを前記ＮＡＮに参加させるために、前記ＮＡＮの電子デバイスに関して、前記第１の電子デバイスにおいて１つまたは複数の接続動作を実行することをさらに備える、請求項１に記載の方法。
【請求項２７】
前記第１のワイヤレスネットワークが、前記ＮＡＮに対応する第１のワイヤレスチャネルを備え、前記第２のワイヤレスネットワークが、前記データリンクに対応する第２のワイヤレスチャネルを備える、請求項１に記載の方法。
【請求項２８】
プロセッサと、
前記プロセッサに結合されたメモリとを備え、前記メモリが、
第１のワイヤレスネットワークと関連付けられる同期動作に基づいてデータリンクの第１の電子デバイスにおいてクロックを同期することと、前記第１のワイヤレスネットワークは、近隣認識ネットワーク（ＮＡＮ）内のサービス発見および同期と関連付けられ、ここにおいて、前記ＮＡＮは、共通の発見時間枠と関連付けられる電子デバイスの第１のグループを含む、
前記第１の電子デバイスにおいて、前記同期されたクロックに基づいて決定された第１のページング時間枠の間に第２のワイヤレスネットワークを監視することと、前記第２のワイヤレスネットワークは、前記データリンクに対応する少なくとも１つのサービスによるデータ共有と関連付けられ、ここにおいて、前記データリンクは、共通のページング時間枠と関連付けられる電子デバイスの第２のグループを含み、電子デバイスの前記第１のグループは、電子デバイスの前記第２のグループを含む、
前記第１の電子デバイスにおいて前記第２のワイヤレスネットワークを介して、前記第１のページング時間枠の間に、トラフィック告知メッセージを前記データリンクの第２の電子デバイスから受信することと、ここにおいて、第１の送信時間枠の第１の部分は、前記第１のページング時間枠を含み、前記トラフィック告知メッセージは、前記データリンクの１つまたは複数の電子デバイスが、前記第１の送信時間枠の第２の部分の間に、データを前記第２のワイヤレスネットワークを介して受信するようにスケジューリングされていることを示す、
を備える動作を実行するように前記プロセッサによって実行可能な命令を記憶する、装置。
【請求項２９】
前記トラフィック告知メッセージがブロードキャストメッセージを含む、請求項２８に記載の装置。
【請求項３０】
前記動作が、前記第１の電子デバイスにおいて、前記データの少なくとも一部分の受信者として前記トラフィック告知メッセージが前記第１の電子デバイスを識別するかどうかを決定することをさらに備える、請求項２８に記載の装置。
【請求項３１】
前記動作が、
前記トラフィック告知メッセージが前記第１の電子デバイスを前記受信者として識別すると決定したことに応答して、前記第１の送信時間枠の前記第２の部分の間、前記第１の電子デバイスをアクティブ動作モードに維持することと、
前記第１の電子デバイスにおいて、前記第１の送信時間枠の前記第２の部分の間に、前記データの前記少なくとも一部分を前記第２の電子デバイスから受信することとをさらに備える、請求項３０に記載の装置。
【請求項３２】
前記動作が、
前記トラフィック告知メッセージが前記第１の電子デバイスを前記受信者として識別しないと決定したことに応答して、前記第１の送信時間枠の前記第２の部分の間、前記第１の電子デバイスをアクティブ動作モードから低電力動作モードに遷移することと、
前記第１の電子デバイスを、第２のページング時間枠の第２の開始時間において、前記低電力動作モードから前記アクティブ動作モードに遷移することとをさらに備える、請求項３０に記載の装置。
【請求項３３】
前記動作が、前記第２のワイヤレスネットワークを介して、前記第１の電子デバイスにおいて前記第２の電子デバイスから前記データの前記少なくとも一部分を受信することをさらに備える、請求項３０に記載の装置。
【請求項３４】
前記動作が、トラフィック指示マップの特定のビットの値が前記第１の電子デバイスを前記受信者として識別するかどうかを決定することをさらに備え、前記特定のビットが前記第１の電子デバイスに対応する、請求項３０に記載の装置。
【請求項３５】
前記トラフィック指示マップ中の前記特定のビットの位置が、前記第１の電子デバイスと前記第２の電子デバイスとの間の接続プロセスの間に前記第２の電子デバイスによって割り当てられる接続識別情報に基づいて決定される、請求項３４に記載の装置。
【請求項３６】
前記動作が、前記特定のビットに対応する接続識別情報空間に基づいて、前記データを受信する際に介する特定のデータリンクを決定することをさらに備える、請求項３４に記載の装置。
【請求項３７】
前記動作が、前記トラフィック告知メッセージを受信したことに応答して前記第１の電子デバイスから前記第２の電子デバイスに肯定応答を送信することをさらに備え、前記肯定応答が節電ポール（ＰＳ−ＰＯＬＬ）メッセージとして機能する、請求項２８に記載の装置。
【請求項３８】
前記肯定応答が肯定応答時間枠の間に送信され、前記第１の送信時間枠の第３の部分が、前記肯定応答時間枠を含み、前記肯定応答時間枠が、前記第１のページング時間枠の後に、および前記第１の送信時間枠の前記第２の部分の前に存在する、請求項３７に記載の装置。
【請求項３９】
前記動作が、
前記第２のワイヤレスネットワークがアイドル状態である第１の時間期間の時間長を決定することと、前記第１の時間期間は前記肯定応答を送信することの後に存在する、
前記第１の時間期間の前記時間長が第１の閾値を超えると決定したことに応答して、前記第１の電子デバイスをアクティブ動作モードから低電力動作モードに遷移することとをさらに備える、請求項３７に記載の装置。
【請求項４０】
前記動作が、
前記第２のワイヤレスネットワークがビジー状態である第２の時間期間の時間長を決定することと、前記第２の時間期間は前記肯定応答を送信することの後に存在する、
前記第２の時間期間の前記時間長が第２の閾値を超えると決定したことに応答して、前記第１の電子デバイスをアクティブ動作モードから低電力動作モードに遷移することとをさらに備える、請求項３７に記載の装置。
【請求項４１】
前記動作が、
前記肯定応答を送信した後で、前記第２の電子デバイスから前記第１の電子デバイスにおいて少なくとも１つのデータフレームを受信することと、
閾値の時間期間の期限切れの後で、前記第２のワイヤレスネットワークがアイドル状態であると決定したことに応答して、前記第１の電子デバイスをアクティブ動作モードから低電力動作モードに遷移することをさらに備える、請求項３７に記載の装置。
【請求項４２】
前記動作が、
前記肯定応答を送信した後で、前記第２の電子デバイスから前記第１の電子デバイスにおいて少なくとも１つのデータフレームを受信することと、
前記少なくとも１つのデータフレームに含まれる１つまたは複数のビットが追加の次回のデータ送信を示すと決定したことに応答して、前記第１の電子デバイスをアクティブ動作モードに維持することとをさらに備える、請求項３７に記載の装置。
【請求項４３】
前記動作が、前記トラフィック告知メッセージを受信したことに応答して、前記第１の電子デバイスから前記第２の電子デバイスにサービス品質ヌル（ＱｏＳ＿ＮＵＬＬ）フレームを送信することをさらに備える、請求項２８に記載の装置。
【請求項４４】
前記ＱｏＳ＿ＮＵＬＬフレームが、短フレーム間空間（ＳＩＦＳ）期間内に応答を前記第１の電子デバイスへ送信することを前記第２の電子デバイスに対して承認する、逆方向グラント（ＲＤＧ）を含む、請求項４３に記載の装置。
【請求項４５】
前記動作が、
前記ＱｏＳ＿ＮＵＬＬフレームに応答して前記第２の電子デバイスからデータフレームを受信することと、
前記データフレームに含まれる１つまたは複数のビットが追加の次回のデータ送信を示すと決定したことに応答して、前記第１の電子デバイスをアクティブ動作モードに維持することとをさらに備える、請求項４４に記載の装置。
【請求項４６】
前記トラフィック告知メッセージが、前記第２の電子デバイスを送信者として識別し、前記第１の電子デバイスを前記１つまたは複数の電子デバイスに含まれるものとして識別し、前記第２のワイヤレスネットワークを第１のデータのための配信経路として識別する、請求項２８に記載の装置。
【請求項４７】
前記動作が、前記第１の電子デバイスが前記１つまたは複数の電子デバイスに含まれるかどうかを前記トラフィック告知メッセージによって示されるトラフィック指示マップに基づいて決定することをさらに備え、前記トラフィック告知メッセージに含まれる受信者タイプインジケータが第１の値を有する、請求項２８に記載の装置。
【請求項４８】
前記動作が、前記第１の電子デバイスが前記１つまたは電子デバイスに含まれるかどうかを前記トラフィック告知メッセージによって示されるブルームフィルタに基づいて決定することをさらに備え、前記トラフィック告知メッセージに含まれる受信者タイプインジケータが第２の値を有する、請求項２８に記載の装置。
【請求項４９】
前記第１の電子デバイスが前記１つまたは複数の電子デバイスに含まれるかどうかを決定することが、
前記ブルームフィルタに対応するハッシュ関数のセットに基づいて、および、前記第１の電子デバイスの媒体アクセス制御（ＭＡＣ）アドレスに基づいて、前記ブルームフィルタ中のビット位置のセットを決定することと、
前記ブルームフィルタ中のビット位置の前記セットの各ビット位置に位置するビットが特定の値を有するかどうかを決定することとを備える、請求項４８に記載の装置。
【請求項５０】
前記動作が、
前記第１の電子デバイスが前記１つまたは複数の電子デバイスに含まれると決定したことに応答して、肯定応答を前記第２の電子デバイスに送信することと、
前記第１の送信時間枠の前記第２の部分の間、前記第１の電子デバイスをアクティブ動作モードに維持することと、
前記第２の電子デバイスから前記データの一部分を受信することとをさらに備える、請求項４８に記載の装置。
【請求項５１】
前記動作が、
前記第１の電子デバイスが前記１つまたは複数の電子デバイスに含まれると決定したことに応答して、肯定応答を前記第２の電子デバイスに送信することと、
前記第１の送信時間枠の前記第２の部分の開始時間において、前記第１の電子デバイスをアクティブ動作モードに維持することと、
前記第２の電子デバイスから否定応答（ＮＡＣＫ）を受信することと、
前記ＮＡＣＫを受信したことに応答して、前記第１の送信時間枠の前記第２の部分の残りの間、前記第１の電子デバイスを前記アクティブ動作モードから低電力動作モードに遷移することとをさらに備える、請求項４８に記載の装置。
【請求項５２】
前記トラフィック告知メッセージを前記第１のワイヤレスネットワークを介して受信するように構成された受信機と、
前記受信機における前記トラフィック告知メッセージの受信に応答して、肯定応答フレームを前記第２のワイヤレスネットワークを介して前記第２の電子デバイスに送信するように構成された送信機とをさらに備える、請求項２８に記載の装置。
【請求項５３】
第１のワイヤレスネットワークと関連付けられる同期動作に基づいてデータリンクの第１の電子デバイスにおいてクロックを同期するための手段と、前記第１のワイヤレスネットワークは、近隣認識ネットワーク（ＮＡＮ）内のサービス発見および同期と関連付けられ、ここにおいて、前記ＮＡＮは、共通の発見時間枠と関連付けられる電子デバイスの第１のグループを含む、
前記第１の電子デバイスにおいて、前記同期されたクロックに基づいて決定されたページング時間枠の間に第２のワイヤレスネットワークを監視するための手段と、前記第２のワイヤレスネットワークは、前記データリンクに対応する少なくとも１つのサービスによるデータ共有と関連付けられ、ここにおいて、前記データリンクは、共通のページング時間枠と関連付けられる電子デバイスの第２のグループを含み、電子デバイスの前記第１のグループは、電子デバイスの前記第２のグループを含む、
前記第１の電子デバイスにおいて前記第２のワイヤレスネットワークを介して、前記ページング時間枠の間に、トラフィック告知メッセージを前記データリンクの第２の電子デバイスから受信するための手段と、ここにおいて、送信時間枠の第１の部分は、前記ページング時間枠を含み、前記トラフィック告知メッセージは、前記データリンクの１つまたは複数の電子デバイスが、前記送信時間枠の第２の部分の間に、データを前記第２のワイヤレスネットワークを介して受信するようにスケジューリングされていることを示す、を備える、装置。
【請求項５４】
前記第１の電子デバイスが前記１つまたは複数の電子デバイスに含まれると決定したことに応答して、肯定応答メッセージを前記第２のワイヤレスネットワークを介して前記第２の電子デバイスに送信するための手段をさらに備える、請求項５３に記載の装置。
【請求項５５】
命令を記憶する非一時的コンピュータ可読媒体であって、前記命令が、プロセッサによって実行されると、前記プロセッサに、
第１のワイヤレスネットワークと関連付けられる同期動作に基づいてデータリンクの第１の電子デバイスにおいてクロックを同期することと、前記第１のワイヤレスネットワークは、近隣認識ネットワーク（ＮＡＮ）内のサービス発見および同期と関連付けられ、ここにおいて、前記ＮＡＮは、共通の発見時間枠と関連付けられる電子デバイスの第１のグループを含む、
前記第１の電子デバイスにおいて、前記同期されたクロックに基づいて決定されたページング時間枠の間に第２のワイヤレスネットワークを監視させ、前記第２のワイヤレスネットワークは、前記データリンクに対応する少なくとも１つのサービスによるデータ共有と関連付けられ、ここにおいて、前記データリンクは、共通のページング時間枠と関連付けられる電子デバイスの第２のグループを含み、電子デバイスの前記第１のグループは、電子デバイスの前記第２のグループを含む、
前記第１の電子デバイスにおいて前記第２のワイヤレスネットワークを介して、前記ページング時間枠の間に、トラフィック告知メッセージを前記データリンクの第２の電子デバイスから受信させる、ここにおいて、送信時間枠の第１の部分は、前記ページング時間枠を含み、前記トラフィック告知メッセージは、前記データリンクの１つまたは複数の電子デバイスが、前記送信時間枠の第２の部分の間に、データを前記第２のワイヤレスネットワークを介して受信するようにスケジューリングされていることを示す、非一時的コンピュータ可読媒体。
【請求項５６】
前記命令はさらに、前記プロセッサによって実行されると、前記プロセッサに、前記送信時間枠の前記第２の部分の間に、前記データの少なくとも一部分を前記第２の電子デバイスから受信させる、請求項５５に記載の非一時的コンピュータ可読媒体。
【手続補正２】
【補正対象書類名】明細書
【補正対象項目名】０２８５
【補正方法】変更
【補正の内容】
【０２８５】
[0297]上記の説明は、当業者が開示されている実装形態を製作または使用することを可能にするために提供されている。これらの実装形態に対する様々な修正が、当業者には容易に明らかになり、本明細書において定義される原理は、本開示の範囲から逸脱することなく、他の実装形態に適用され得る。したがって、本開示は、本明細書において示される実装形態に限定されることを意図されず、特許請求の範囲によって定義される原理および新規の特徴と合致する可能な限り最も広い範囲が与えられるべきである。
以下に本願の出願当初の特許請求の範囲に記載された発明を付記する。
［Ｃ１］
電子デバイス間で通信する方法であって、
データリンクの第１の電子デバイスにおいて、前記データリンクの電子デバイスのアクティブ動作モードに対応する第１のページング時間枠の間に第１のワイヤレスネットワークを監視することと、
前記第１の電子デバイスにおいて、前記第１のページング時間枠の間に、トラフィック告知メッセージを前記データリンクの第２の電子デバイスから受信することとを備える、方法。
［Ｃ２］
前記トラフィック告知メッセージがブロードキャストメッセージを含む、Ｃ１に記載の方法。
［Ｃ３］
前記第１の電子デバイスにおいて、前記データリンクの第１の送信時間枠の間の前記第２の電子デバイスからのデータの受信者として前記トラフィック告知メッセージが前記第１の電子デバイスを識別するかどうかを決定することをさらに備える、Ｃ１に記載の方法。
［Ｃ４］
前記トラフィック告知メッセージが前記第１の電子デバイスを前記受信者として識別すると決定したことに応答して、前記第１の送信時間枠の間、前記第１の電子デバイスを前記アクティブ動作モードに維持することと、
前記第１の電子デバイスにおいて、前記第１の送信時間枠の間に、前記データを前記第２の電子デバイスから受信することとをさらに備える、Ｃ３に記載の方法。
［Ｃ５］
前記トラフィック告知メッセージが前記第１の電子デバイスを前記受信者として識別しないと決定したことに応答して、前記第１の送信時間枠の間、前記第１の電子デバイスを前記アクティブ動作モードから低電力動作モードに遷移することと、
前記第１の電子デバイスを、第２のページング時間枠の第２の開始時間において、前記低電力動作モードから前記アクティブ動作モードに遷移することとをさらに備える、Ｃ３に記載の方法。
［Ｃ６］
前記トラフィック告知メッセージが前記第１の電子デバイスを前記第２の電子デバイスからの前記データの前記受信者として識別する場合、前記データリンクに対応するワイヤレスネットワークを介して、前記第１の電子デバイスにおいて前記第２の電子デバイスから前記データを受信することをさらに備える、Ｃ３に記載の方法。
［Ｃ７］
前記トラフィック告知メッセージが前記第１のワイヤレスネットワークを介して受信され、前記第１のワイヤレスネットワークが前記データリンクと関連付けられるデータ送信のために確保され、前記トラフィック告知メッセージが前記第１の電子デバイスを前記受信者として示す場合、前記第１のワイヤレスネットワークを介して前記第２の電子デバイスから前記データを受信することをさらに備える、Ｃ３に記載の方法。
［Ｃ８］
前記トラフィック告知メッセージが前記第１のワイヤレスネットワークを介して受信され、前記第１のワイヤレスネットワークが近隣認識ネットワーク（ＮＡＮ）に対応し、前記トラフィック告知メッセージが前記第１の電子デバイスを前記受信者として示す場合、前記データリンクに対応する第２のワイヤレスネットワークを介して前記第２の電子デバイスから前記第１の電子デバイスにおいて前記データを受信することをさらに備える、Ｃ３に記載の方法。
［Ｃ９］
トラフィック指示マップの特定のビットの値が前記第１の電子デバイスを前記受信者として識別するかどうかを決定することをさらに備え、前記特定のビットが前記第１の電子デバイスに対応する、Ｃ３に記載の方法。
［Ｃ１０］
前記トラフィック指示マップ中の前記特定のビットの位置が、前記第１の電子デバイスと前記第２の電子デバイスとの間の接続プロセスの間に前記第２の電子デバイスによって割り当てられる接続識別情報に基づいて決定される、Ｃ９に記載の方法。
［Ｃ１１］
前記特定のビットに対応する接続識別情報空間に基づいて、前記データを受信する際に介する特定のデータリンクを決定することをさらに備える、Ｃ９に記載の方法。
［Ｃ１２］
前記トラフィック告知メッセージを受信したことに応答して前記第１の電子デバイスから前記第２の電子デバイスに肯定応答を送信することをさらに備え、前記肯定応答が節電ポール（ＰＳ−ＰＯＬＬ）メッセージとして機能する、Ｃ１に記載の方法。
［Ｃ１３］
前記肯定応答が肯定応答時間枠の間に送信され、送信時間枠が、前記第１のページング時間枠と、前記肯定応答時間枠と、データ送信部分とを含み、前記肯定応答時間枠が、前記第１のページング時間枠の後に、および前記データ送信部分の前に存在する、Ｃ１２に記載の方法。
［Ｃ１４］
前記データリンクに対応する第１のワイヤレスネットワークがアイドル状態である第１の時間期間の時間長を決定することと、前記第１の時間期間は前記肯定応答を送信することの後に存在する、
前記第１の時間期間の前記時間長が第１の閾値を超えると決定したことに応答して、前記第１の電子デバイスを前記アクティブ動作モードから低電力動作モードに遷移することとをさらに備える、Ｃ１２に記載の方法。
［Ｃ１５］
前記データリンクに対応する第１のワイヤレスネットワークがビジー状態である第２の時間期間の時間長を決定することと、前記第２の時間期間は前記肯定応答を送信することの後に存在する、
前記第２の時間期間の前記時間長が第２の閾値を超えると決定したことに応答して、前記第１の電子デバイスを前記アクティブ動作モードから低電力動作モードに遷移することとをさらに備える、Ｃ１２に記載の方法。
［Ｃ１６］
前記肯定応答を送信した後で、前記第２の電子デバイスから前記第１の電子デバイスにおいて少なくとも１つのデータフレームを受信することと、
閾値の時間期間の期限切れの後で、前記データリンクに対応する第１のワイヤレスネットワークがアイドル状態であると決定したことに応答して、前記第１の電子デバイスを前記アクティブ動作モードから低電力動作モードに遷移することをさらに備える、Ｃ１２に記載の方法。
［Ｃ１７］
前記肯定応答を送信した後で、前記第２の電子デバイスから前記第１の電子デバイスにおいて少なくとも１つのデータフレームを受信することと、
前記少なくとも１つのデータフレームに含まれる１つまたは複数のビットが追加の次回のデータ送信を示すと決定したことに応答して、前記第１の電子デバイスを前記アクティブ動作モードに維持することとをさらに備える、Ｃ１２に記載の方法。
［Ｃ１８］
前記トラフィック告知メッセージを受信したことに応答して、前記第１の電子デバイスから前記第２の電子デバイスにサービス品質ヌル（ＱｏＳ＿ＮＵＬＬ）フレームを送信することをさらに備える、Ｃ１に記載の方法。
［Ｃ１９］
前記ＱｏＳ＿ＮＵＬＬフレームが、短フレーム間空間（ＳＩＦＳ）期間内に応答を前記第１の電子デバイスへ送信することを前記第２の電子デバイスに対して承認する、逆方向グラント（ＲＤＧ）を含む、Ｃ１８に記載の方法。
［Ｃ２０］
前記ＱｏＳ＿ＮＵＬＬフレームに応答して前記第２の電子デバイスからデータフレームを受信することと、
前記データフレームに含まれる１つまたは複数のビットが追加の次回のデータ送信を示すと決定したことに応答して、前記第１の電子デバイスをアクティブ動作モードに維持することとをさらに備える、Ｃ１９に記載の方法。
［Ｃ２１］
前記第１のページング時間枠の開始時間が前記第１の電子デバイスの内部クロックに基づいて決定され、前記内部クロックが、近隣認識ネットワーク（ＮＡＮ）の１つまたは複数の電子デバイスから前記第１の電子デバイスにおいて受信される１つまたは複数の同期ビーコンに基づいて同期される、Ｃ１に記載の方法。
［Ｃ２２］
前記トラフィック告知メッセージが、前記第２の電子デバイスを送信者として識別し、前記第１の電子デバイスを受信者として識別し、前記データリンクを第１のデータのための配信経路として識別する、Ｃ１に記載の方法。
［Ｃ２３］
前記トラフィック告知メッセージに含まれる受信者タイプインジケータが第１の値を有する場合、前記第１の電子デバイスが前記第２の電子デバイスからのデータの受信者として示されるかどうかをトラフィック指示マップに基づいて決定することをさらに備え、前記トラフィック指示マップが前記トラフィック告知メッセージによって識別される、Ｃ１に記載の方法。
［Ｃ２４］
前記トラフィック告知メッセージに含まれる受信者タイプインジケータが第２の値を有する場合、前記第１の電子デバイスが前記第２の電子デバイスからのデータの受信者として示されるかどうかをブルームフィルタに基づいて決定することをさらに備え、前記ブルームフィルタが前記トラフィック告知メッセージによって識別される、Ｃ１に記載の方法。
［Ｃ２５］
前記第１の電子デバイスが受信者として示されるかどうかを決定することが、
前記ブルームフィルタに対応するハッシュ関数のセットに基づいて、および、前記第１の電子デバイスの媒体アクセス制御（ＭＡＣ）アドレスに基づいて、前記ブルームフィルタ中のビット位置のセットを決定することと、
前記ブルームフィルタ中のビット位置の前記セットの各ビット位置に位置するビットが特定の値を有するかどうかを決定することとを備える、Ｃ２４に記載の方法。
［Ｃ２６］
前記第１の電子デバイスが前記データの受信者として示されると決定したことに応答して、肯定応答を前記第２の電子デバイスに送信することと、
前記第１の電子デバイスが前記データの受信者として示されると決定したことに応答して、前記第１の電子デバイスを前記アクティブ動作モードに維持することと、
前記第２の電子デバイスから前記データの一部分を受信することとをさらに備える、Ｃ２４に記載の方法。
［Ｃ２７］
前記第１の電子デバイスが前記データの受信者として示されると決定したことに応答して、肯定応答を前記第２の電子デバイスに送信することと、
前記第１の電子デバイスが前記データの受信者として示されると決定したことに応答して、前記第１の電子デバイスを前記アクティブ動作モードに維持することと、
前記第２の電子デバイスから否定応答（ＮＡＣＫ）を受信することと、
前記ＮＡＣＫを受信したことに応答して、前記第１の電子デバイスを前記アクティブ動作モードから低電力動作モードに遷移することとをさらに備える、Ｃ２４に記載の方法。
［Ｃ２８］
プロセッサと、
前記プロセッサに結合されたメモリとを備え、前記メモリが、
データリンクの第１の電子デバイスにおいて、前記データリンクの電子デバイスのアクティブ動作モードに対応する第１のページング時間枠の間に第１のワイヤレスネットワークを監視することと、
前記第１の電子デバイスにおいて、前記第１のページング時間枠の間に、トラフィック告知メッセージを前記データリンクの第２の電子デバイスから受信することと
を備える動作を実行するように前記プロセッサによって実行可能な命令を記憶する、装置。
［Ｃ２９］
前記トラフィック告知メッセージがブロードキャストメッセージを含む、Ｃ２８に記載の装置。
［Ｃ３０］
前記動作が、前記第１の電子デバイスにおいて、前記データリンクの第１の送信時間枠の間の前記第２の電子デバイスからのデータの受信者として前記トラフィック告知メッセージが前記第１の電子デバイスを識別するかどうかを決定することをさらに備える、Ｃ２８に記載の装置。
［Ｃ３１］
前記動作が、
前記トラフィック告知メッセージが前記第１の電子デバイスを前記受信者として識別すると決定したことに応答して、前記第１の送信時間枠の間、前記第１の電子デバイスを前記アクティブ動作モードに維持することと、
前記第１の電子デバイスにおいて、前記第１の送信時間枠の間に、前記データを前記第２の電子デバイスから受信することとをさらに備える、Ｃ３０に記載の装置。
［Ｃ３２］
前記動作が、
前記トラフィック告知メッセージが前記第１の電子デバイスを前記受信者として識別しないと決定したことに応答して、前記第１の送信時間枠の間、前記第１の電子デバイスを前記アクティブ動作モードから低電力動作モードに遷移することと、
前記第１の電子デバイスを、第２のページング時間枠の第２の開始時間において、前記低電力動作モードから前記アクティブ動作モードに遷移することとをさらに備える、Ｃ３０に記載の装置。
［Ｃ３３］
前記動作が、前記トラフィック告知メッセージが前記第１の電子デバイスを前記第２の電子デバイスからの前記データの前記受信者として識別する場合、前記データリンクに対応するワイヤレスネットワークを介して、前記第１の電子デバイスにおいて前記第２の電子デバイスから前記データを受信することをさらに備える、Ｃ３０に記載の装置。
［Ｃ３４］
前記トラフィック告知メッセージが前記第１のワイヤレスネットワークを介して受信され、前記第１のワイヤレスネットワークが前記データリンクと関連付けられるデータ送信のために確保され、前記動作が、前記トラフィック告知メッセージが前記第１の電子デバイスを前記受信者として示す場合、前記第１のワイヤレスネットワークを介して前記第２の電子デバイスから前記データを受信することをさらに備える、Ｃ３０に記載の装置。
［Ｃ３５］
前記トラフィック告知メッセージが前記第１のワイヤレスネットワークを介して受信され、前記第１のワイヤレスネットワークが近隣認識ネットワーク（ＮＡＮ）に対応し、前記動作が、前記トラフィック告知メッセージが前記第１の電子デバイスを前記受信者として示す場合、前記データリンクに対応する第２のワイヤレスネットワークを介して前記第２の電子デバイスから前記第１の電子デバイスにおいて前記データを受信することをさらに備える、Ｃ３０に記載の装置。
［Ｃ３６］
前記動作が、トラフィック指示マップの特定のビットの値が前記第１の電子デバイスを前記受信者として識別するかどうかを決定することをさらに備え、前記特定のビットが前記第１の電子デバイスに対応する、Ｃ３０に記載の装置。
［Ｃ３７］
前記トラフィック指示マップ中の前記特定のビットの位置が、前記第１の電子デバイスと前記第２の電子デバイスとの間の接続プロセスの間に前記第２の電子デバイスによって割り当てられる接続識別情報に基づいて決定される、Ｃ３６に記載の装置。
［Ｃ３８］
前記動作が、前記特定のビットに対応する接続識別情報空間に基づいて、前記データを受信する際に介する特定のデータリンクを決定することをさらに備える、Ｃ３６に記載の装置。
［Ｃ３９］
前記動作が、前記トラフィック告知メッセージを受信したことに応答して前記第１の電子デバイスから前記第２の電子デバイスに肯定応答を送信することをさらに備え、前記肯定応答が節電ポール（ＰＳ−ＰＯＬＬ）メッセージとして機能する、Ｃ２８に記載の装置。
［Ｃ４０］
前記肯定応答が肯定応答時間枠の間に送信され、送信時間枠が、前記第１のページング時間枠と、前記肯定応答時間枠と、データ送信部分とを含み、前記肯定応答時間枠が、前記第１のページング時間枠の後に、および前記データ送信部分の前に存在する、Ｃ３９に記載の装置。
［Ｃ４１］
前記動作が、
前記データリンクに対応する第１のワイヤレスネットワークがアイドル状態である第１の時間期間の時間長を決定することと、前記第１の時間期間は前記肯定応答を送信することの後に存在する、
前記第１の時間期間の前記時間長が第１の閾値を超えると決定したことに応答して、前記第１の電子デバイスを前記アクティブ動作モードから低電力動作モードに遷移することとをさらに備える、Ｃ３９に記載の装置。
［Ｃ４２］
前記動作が、
前記データリンクに対応する第１のワイヤレスネットワークがビジー状態である第２の時間期間の時間長を決定することと、前記第２の時間期間は前記肯定応答を送信することの後に存在する、
前記第２の時間期間の前記時間長が第２の閾値を超えると決定したことに応答して、前記第１の電子デバイスを前記アクティブ動作モードから低電力動作モードに遷移することとをさらに備える、Ｃ３９に記載の装置。
［Ｃ４３］
前記動作が、
前記肯定応答を送信した後で、前記第２の電子デバイスから前記第１の電子デバイスにおいて少なくとも１つのデータフレームを受信することと、
閾値の時間期間の期限切れの後で、前記データリンクに対応する第１のワイヤレスネットワークがアイドル状態であると決定したことに応答して、前記第１の電子デバイスを前記アクティブ動作モードから低電力動作モードに遷移することをさらに備える、Ｃ３９に記載の装置。
［Ｃ４４］
前記動作が、
前記肯定応答を送信した後で、前記第２の電子デバイスから前記第１の電子デバイスにおいて少なくとも１つのデータフレームを受信することと、
前記少なくとも１つのデータフレームに含まれる１つまたは複数のビットが追加の次回のデータ送信を示すと決定したことに応答して、前記第１の電子デバイスを前記アクティブ動作モードに維持することとをさらに備える、Ｃ３９に記載の装置。
［Ｃ４５］
前記動作が、前記トラフィック告知メッセージを受信したことに応答して、前記第１の電子デバイスから前記第２の電子デバイスにサービス品質ヌル（ＱｏＳ＿ＮＵＬＬ）フレームを送信することをさらに備える、Ｃ２８に記載の装置。
［Ｃ４６］
前記ＱｏＳ＿ＮＵＬＬフレームが、短フレーム間空間（ＳＩＦＳ）期間内に応答を前記第１の電子デバイスへ送信することを前記第２の電子デバイスに対して承認する、逆方向グラント（ＲＤＧ）を含む、Ｃ４５に記載の装置。
［Ｃ４７］
前記動作が、
前記ＱｏＳ＿ＮＵＬＬフレームに応答して前記第２の電子デバイスからデータフレームを受信することと、
前記データフレームに含まれる１つまたは複数のビットが追加の次回のデータ送信を示すと決定したことに応答して、前記第１の電子デバイスを前記アクティブ動作モードに維持することとをさらに備える、Ｃ４６に記載の装置。
［Ｃ４８］
前記第１のページング時間枠の開始時間が前記第１の電子デバイスの内部クロックに基づいて決定され、前記内部クロックが、近隣認識ネットワーク（ＮＡＮ）の１つまたは複数の電子デバイスから前記第１の電子デバイスにおいて受信される１つまたは複数の同期ビーコンに基づいて同期される、Ｃ２８に記載の装置。
［Ｃ４９］
前記トラフィック告知メッセージが、前記第２の電子デバイスを送信者として識別し、前記第１の電子デバイスを受信者として識別し、前記データリンクを第１のデータのための配信経路として識別する、Ｃ２８に記載の装置。
［Ｃ５０］
前記動作が、前記トラフィック告知メッセージに含まれる受信者タイプインジケータが第１の値を有する場合、前記第１の電子デバイスが前記第２の電子デバイスからのデータの受信者として示されるかどうかをトラフィック指示マップに基づいて決定することをさらに備え、前記トラフィック指示マップが前記トラフィック告知メッセージによって識別される、Ｃ２８に記載の装置。
［Ｃ５１］
前記動作が、前記トラフィック告知メッセージに含まれる受信者タイプインジケータが第２の値を有する場合、前記第１の電子デバイスが前記第２の電子デバイスからのデータの受信者として示されるかどうかをブルームフィルタに基づいて決定することをさらに備え、前記ブルームフィルタが前記トラフィック告知メッセージによって識別される、Ｃ２８に記載の装置。
［Ｃ５２］
前記第１の電子デバイスが受信者として示されるかどうかを決定することが、
前記ブルームフィルタに対応するハッシュ関数のセットに基づいて、および、前記第１の電子デバイスの媒体アクセス制御（ＭＡＣ）アドレスに基づいて、前記ブルームフィルタ中のビット位置のセットを決定することと、
前記ブルームフィルタ中のビット位置の前記セットの各ビット位置に位置するビットが特定の値を有するかどうかを決定することとを備える、Ｃ５１に記載の装置。
［Ｃ５３］
前記動作が、
前記第１の電子デバイスが前記データの受信者として示されると決定したことに応答して、肯定応答を前記第２の電子デバイスに送信することと、
前記第１の電子デバイスが前記データの受信者として示されると決定したことに応答して、第１の電子デバイスを前記アクティブ動作モードに維持することと、
前記第２の電子デバイスから前記データの一部分を受信することとをさらに備える、Ｃ５１に記載の装置。
［Ｃ５４］
前記動作が、
前記第１の電子デバイスが前記データの受信者として示されると決定したことに応答して、肯定応答を前記第２の電子デバイスに送信することと、
前記第１の電子デバイスが前記データの受信者として示されると決定したことに応答して、前記第１の電子デバイスを前記アクティブ動作モードに維持することと、
前記第２の電子デバイスから否定応答（ＮＡＣＫ）を受信することと、
前記ＮＡＣＫを受信したことに応答して、前記第１のデバイスを前記アクティブ動作モードから低電力動作モードに遷移することとをさらに備える、Ｃ５１に記載の装置。
［Ｃ５５］
データリンクの第１の電子デバイスにおいて、前記データリンクの電子デバイスのアクティブ動作モードに対応するページング時間枠の間にワイヤレスネットワークを監視するための手段と、
前記第１の電子デバイスにおいて、前記ページング時間枠の間に、トラフィック告知メッセージを前記データリンクの第２の電子デバイスから受信するための手段とを備える、装置。
［Ｃ５６］
命令を記憶する非一時的コンピュータ可読媒体であって、前記命令が、プロセッサによって実行されると、前記プロセッサに、
データリンクの第１の電子デバイスにおいて、前記データリンクの電子デバイスのアクティブ動作モードに対応するページング時間枠の間にワイヤレスネットワークを監視させ、
前記第１の電子デバイスにおいて、前記ページング時間枠の間に、トラフィック告知メッセージを前記データリンクの第２の電子デバイスから受信させる、非一時的コンピュータ可読媒体。